(57)【要約】本発明は、男性用または女性用ズボン（１）に関し、該ズボン（１）は、着用者脚が入るよう適合された第１脚部（２）および第２脚部（３）と、着用者の腰周りを囲むよう適合されたウエスト部（４）と、第１脚部（２）と第２脚部（３）との間に配置され、ウエスト部（４）の正面部（４′）と背面部（４″）との間に延在しているクロッチ部（５）と、を具える。クロッチ部は、着用者の陰部を覆うよう適合されている。ズボン（１）は、クロッチ部（５）を第１脚部（２）および／または第２脚部（３）および／またはウエスト部（４）に接続するための、１以上のシーム（６）をさらに具えている。シーム（６）は、着用者によってズボンが着用された際に、シームが着用者の陰部の外側となるよう配置されている。クロッチ部（５）は、ウエスト部（４）、第１脚部（２）および第２脚部（３）の少なくとも１つに一体に形成され、該クロッチ部が一体に形成されていない、第１脚部（２）、第２脚部（３）およびウエスト部（４）と、１以上のシーム（６）によって接続されている。
2015522108.tif 000002
【特許請求の範囲】
【請求項１】
男性用または女性用のズボン（１）であって、
・着用者の脚が入るよう適合された第１脚部（２）および第２脚部（３）と、
・着用者の腰周りを囲むよう適合されたウエスト部（４）と、
・前記第１脚部（２）および前記第２脚部（３）の間に配置されて、前記ウエスト部（４）の正面部（４′）と背面部（４″）との間に延び、着用者の陰部を覆うよう適合されたクロッチ部（５）と、
・前記クロッチ部（５）を、前記１脚部（２）および／または前記第２脚部（３）および／または前記ウエスト部（４）と接続するための１以上のシーム（６）であって、着用者が前記ズボン（１）を着用した状態で、該着用者の陰部の外側に位置するよう配置されたシーム（６）と、を具え、
前記クロッチ部（５）は、前記ウエスト部（４）、前記第１脚部（２）および前記第２脚部（３）の少なくとも１つと一体に形成されており、該クロッチ部（５）が一体に形成されていないその他の前記第１脚部（２）、前記第２脚部（３）および前記ウエスト部（４）と、前記１以上のシーム（６）によって接続されていること、を特徴とするズボン。
【請求項２】
請求項１に記載のズボン（１）であって、前記クロッチ部（５）が、着用者の会陰部を覆うよう適合されており、着用者が前記ズボン（１）を着用した状態における前記１以上のシーム（６）が、該着用者の前記会陰部の外側に位置するよう配置されているズボン。
【請求項３】
請求項１または２に記載のズボン（１）であって、前記クロッチ部（５）が一体に形成されており、複数のクロッチ部を接続するためのシームを有しないズボン。
【請求項４】
請求項１〜３のいずれか一項に記載のズボン（１）であって、前記第１脚部（２）および第２脚部（３）が、それぞれ正面部（２′，３′）および背面部（２″，３″）を具え、前記第１脚部（２）、前記第２脚部（３）および前記ウエスト部（４）の前記正面部（２′，３′，４′）が、前記クロッチ部（５）と一体に形成されている、ズボン。
【請求項５】
請求項４に記載のズボン（１）であって、前記クロッチ部（５）が、前記ウエスト部（４）の前記正面部（４′）と一体に形成された近位部（１０）と、該近位部（１０）と一体に形成された遠位部（１１）と、を具え、前記クロッチ部（５）の遠位部（１１）は、前記１以上のシーム（６）によって前記第１脚部（２）、前記第２脚部（３）および前記ウエスト部（４）の前記背面部（２″，３″，４″）に縫い付けられている、ズボン。
【請求項６】
請求項５に記載のズボン（１）であって、前記クロッチ部（５）の前記近位部（１０）は、前記ウエスト部（４）の前記正面部（４′）から前記クロッチ部（５）の前記遠位部（１１）に向かって幅を減じ、前記クロッチ部（５）の前記遠位部（１１）は、前記クロッチ部（５）の前記近位部（１０）から幅を減じている、ズボン。
【請求項７】
請求項５に記載のズボン（１）であって、前記クロッチ部（５）の前記近位部（１０）は、前記ウエスト部（４）の前記正面部（４′）から前記クロッチ部（５）の前記遠位部（１１）に向かって幅を減じ、前記クロッチ部（５）の前記遠位部（１１）が第１セグメント（１１１）および第２セグメント（２１１）を具え、前記第１セグメント（１１１）は、前記クロッチ部（５）の近位部（１０）から前記第２セグメント（２１１）に向かって幅を減じ、前記第２セグメント（２１１）では、前記第１セグメント（１１１）から幅を増している、ズボン。
【請求項８】
請求項５〜７のいずれか一項に記載されるズボン（１）であって、前記クロッチ部（５）の前記近位部（１０）と、前記第１脚部（２）および前記第２脚部（３）の前記正面部（２′，３′）それぞれと、の間にプリーツを具えている、ズボン。
【請求項９】
請求項４〜８のいずれか一項に記載のズボン（１）であって、前記ウエスト部（４）の前記背面部（４″）は、前記ウエスト部（４）の第１背面部（１０４″）と、前記第１背面部と１以上の他のシーム（１９）によって接続されている該ウエスト部（４）の第２背面部（２０４″）と、を具え、前記ウエスト部（４）の前記第１背面部（１０４″）は、前記第１脚部（２）の前記背面部（２″）と一体に形成され、前記ウエスト部（４）の前記第２背面部（２０４″）は、前記第２脚部（３）の前記背面部（３″）と一体に形成されている、ズボン。
【発明の詳細な説明】
【技術分野】
【０００１】
本発明は、男性用または女性用のズボンに関する。
【背景技術】
【０００２】
ジーンズ、ベルベット、ウール、綿または他の布地から作ることのできる既知のズボンは、通常、適当な形状の別々のパーツをシームで接続して作られる。
【０００３】
上記したように接続して形成される領域の１つには、クロッチ（股下）領域、換言するとズボン着用者の陰部を覆う領域がある。
【０００４】
具体的に、既知のズボンは、クロッチ領域の中央に沿って延びるシームを有するが、該シームは着用者の性器に接触する。このような現象は、股位置が高いズボン、換言すると、着用者の性器および会陰部が窮屈になるズボンに特に関連している。
【０００５】
股位置の高いズボンは、特に見た目の良さが評価され、かなり普及している一方で、健康、特には性器に深刻な問題を引き起こす可能性があることが知られている。
【０００６】
女性の着用者の場合、股下のシームが女性の性器に部分的に食い込むことを防ぐのはほとんど不可能であり、これによって、外陰部傷のような炎症または病状が引き起こされる可能性がある。
【０００７】
男性の着用者の場合は反対に、股下のシームによる圧力が特に精巣領域にかかると、精索静脈瘤などの病状のリスクを伴う血管収縮を引き起こす可能性があり、かかる血管収縮は、不妊症または勃起問題を引き起こす可能性がある。
【０００８】
従来技術のズボンは、以下の文献に開示されている。
【先行技術文献】
【特許文献】
【０００９】
【特許文献１】米国特許出願公開第２０１０／０３７３６８号明細書
【特許文献２】米国特許出願公開第２００５／０９１７２８号明細書
【特許文献３】米国特許第４７８５４８０号明細書
【特許文献４】カナダ特許第６５５３５４号明細書
【特許文献５】米国特許第５１５９７２１号明細書
【発明の概要】
【発明が解決しようとする課題】
【００１０】
従って、本発明の目的は、従来技術を参照して引用された欠点を克服した、利用可能な男性用または女性用ズボンを作ることにある。
【００１１】
特に、本発明の目的は、着用者の陰部を締め付けず有害でないズボンであって、同時に審美的に好ましい、利用可能なズボンを作ることにある。
【００１２】
かかる目的および他の目的は、請求項１に従うズボンによって達成される。
【００１３】
従属請求項は、本発明の実施可能かつ有利な実施形態を規定している。
【図面の簡単な説明】
【００１４】
本初発明およびその利点の理解を深めるため、以下に、添付の図面を参照しながら、本発明を制限しない例示的実施形態のいくつかを説明する。
【００１５】
【図１ａ】本発明の第１実施形態に係るズボンの正面図である。
【図１ｂ】本発明の第１実施形態に係るズボンの背面図である。
【図１ｃ】図１ａ，１ｂのズボンを分解して示す図である。
【図２ａ】本発明の第２実施形態に係るズボンの正面図である。
【図２ｂ】本発明の第２実施形態に係るズボンの背面図である。
【図２ｃ】図２ａ，２ｂのズボンを分解して示す図である。
【図３ａ】本発明の第３実施形態に係るズボンの正面図である。
【図３ｂ】本発明の第３実施形態に係るズボンの背面図である。
【図３ｃ】図３ａ，３ｂのズボンを分解して示す図である。
【発明を実施するための形態】
【００１６】
図面を参照すると、本発明に従うズボンは参照番号１にて示されている。本発明に従うズボン１は、以下に説明するように、女性および男性の両方に着用されるよう適合されており、女性と男性の双方に有利な特性を有している。
【００１７】
本発明に従うズボン１は、非限定的に、綿、ウール、シルク、ビスコース、ジーンズ、ベルベット、ジャージ、ギャバジン等のような異なる布地および／または加工によって作ることができる。好ましくは、ズボン１は、股下位置の高いタイプのズボン、換言すると、着用者によって着用された状態で、該着用者の股下部分が窮屈なズボンである。
【００１８】
ズボン１は、第１脚部２および第２脚部３を具え、着用者の対応する脚が入るようそれぞれ適合されている。例えば、第１脚部２は、着用者の左脚が入るよう適合される一歩で、第２脚部３は、着用者の右脚が入るよう適合されている。
【００１９】
第１脚部２および第２脚部３は、着用者の脚を完全または部分的に囲うよう適合された、拡張された筒体から形成されている。
【００２０】
第１脚部２および第２脚部３は、正面部２′，３′と、背面部２″，３″を具えている。正面部２′，３′は、ズボン１が着用された状態で正面を向く、着用者の膝を覆うよう適合された部分であり、背面部２″，３″は当該正面部とは反対側の部分である。
【００２１】
ズボン１は、着用者の腰周りを囲うよう適合されたウエスト部４をさらに具える。ウエスト部４は、概して円筒形であり、第１脚部２および第２脚部３は、ウエスト部４から延在している。同様に、ウエスト部４は正面部４′および背面部４″を具え、この場合の「正面」および「背面」は、上述した脚部の正面部および背面部と同様に解釈される。
【００２２】
ウエスト部４、第１脚部２および第２脚部３は、異なる形状を有することができる。換言すると、これらのパーツは、完成したズボンを形成するよう個別に継ぎ合わされた、相互接続されるサブポーションを具えることができる。例えば、ウエスト部４ならびに第１脚部２および第１脚部３における、対応する正面部４′，２′，３′および背面部４″，２″，３″は、一体に形成することや、個別のパーツを相互に継ぎ合わせて形成することができる。ウエスト部４、第１脚部２及び第２脚部３の可能な形状は、特に、本発明の好適な実施形態を参照して以下に説明される。
【００２３】
ズボン１は、第１脚部２と第２脚部３との間に配置されて、ウエスト部４の正面部４′と背面部４″との間に延びるクロッチ部５をさらに具える。クロッチ部５は、着用者がズボン１を着用した状態で、該着用者の陰部および好ましくは会陰部も覆うよう配置および成形されている。
【００２４】
クロッチ部５は、ウエスト部４と、第１脚部２および第２脚部３と、にシーム６によって接続されており、該シーム６は、着用者がズボン１を着用した状態で、該着用者の陰部および好ましくは会陰部の外側にあるよう成形および配置されている。換言すると、クロッチ部５には、陰部および／または会陰部を横断する股下中央のシームがない。反対に、クロッチ部５をズボンの他の部分に接続するシームが陰部および／または会陰部を迂回しているため、着用者は、従来のズボンの股下中央に形成されていたシームによる締め付けを受けない。このように、本発明に係るズボン１は、履き心地が良いだけでなく、着用者の性器が圧迫されて炎症が生じるリスクや、関連する病状のリスクを著しく低減することができる。陰部および／または会陰部の周りに延在するシーム６は、ズボン１の外観を損なわずに、特に制限はなく、ファッションの美的基準に従って成形することができる。
【００２５】
クロッチ部５は、ウエスト部４、第１脚部２および第２脚部３のうちの少なくとも１つと一体に形成され、一体に作られていない残りの部分に上記したシーム６によって接続される。例えば、図示されるように、クロッチ部５は、ウエスト部４、具体的にはウエスト部４の正面部４′と一体に形成され、第１脚部２および第２脚部３に縫い合わせて接続することができる。図１〜３のズボンは、この方法により形成されている。
【００２６】
有利には、クロッチ部５は一体に作られ、パーツを接続するためのシームを有しない。従って、クロッチ部５は、予め、ズボンが着用者の性器へ食い込むことを防止するよう適合されている。
【００２７】
添付図面を参照すると本発明に従うズボン１の可能な実施形態が記載されている。なお、以下の説明では、異なる実施形態に存在する同一の要素は、同様の参照番号で示されていることが見てとれる。
【００２８】
［第１実施形態］
図１ａ〜１ｃを参照すると、ズボン１の第１実施形態が示されている。具体的には、図１ａ，１ｂは、それぞれズボン１の正面図と背面図を示しており、図１ｃは、半仕上げ状態の製品であり、これらを繋ぎ合わせることによって図１ａ，１ｂのズボンが得られる。図１ｃの要素は、既知の「型紙」の形状および配置を有している。かかる型紙は、完成品のズボンを形成することになる、上記の半仕上げ状態の製品を作るための型として用いられる。
【００２９】
図示される実施形態によると、ウエスト部４の正面部４′、第１脚部２の正面部２′、第２脚部３の正面部３′、およびクロッチ部５が、一体に形成されている。第１脚部２の背面部２″および第２脚部３の背面部３″は、これらとは分離されており、シーム（図示しない）によって接続される。ウエスト部４の背面部４″は、ウエスト部４の第１背面部１０４″と第２背面部２０４″とを具え、該第１背面部１０４″および第２背面部２０４″は互いに分離しており、第１脚部２の背面部２″および第２脚部３の背面部３″のそれぞれに一体に形成されていることが好ましい。ウエスト部４の第１背面部２０４″および第２背面部２０４″は、例えば、ウエスト部４の背面部４″の中央領域に配置されたシーム１９によって相互に接続することができる。
【００３０】
ウエスト部４は、例えば、ポケット７、ベルトのためのボタンホール８、およびジップやボタンファスナのようなファスナ９を具えることができる。
【００３１】
クロッチ部５は、一体に形成可能である近位部１０および遠位部１１を具えている。近位部１０は、ウエスト部４の正面部４′と一体に形成されている。クロッチ部５は、概して縦長の形状を有しており、近位部１０では、ウエスト部４の正面部４′から遠位部１１に向かって幅が減じている。遠位部１１では、近位部１０から幅が減じている。
【００３２】
本明細書中および特許請求の範囲における記載において、クロッチ部５の「幅」とは、第１脚部２と第２脚部３との間の長さに平行な、クロッチ部５の寸法を意味する。
【００３３】
ズボン１を継ぎ合せた状態において、かような形状にあるクロッチ部５は、ウエスト部４の背面部４″に向かって折れ曲がって、ズボンのクロッチを形成する。好ましくは、クロッチ部５の遠位部１１は、該遠位部１１の一方の側１１２が第１脚部２の背面部２″に、他方の側１１３が第２脚部３の背面部３″にシーム６にて接続され、該遠位部１１の端部１１９は、ウエスト部４の第１背面部１０４″をウエスト部４の第２背面部２０４″に接続しているシーム１９に接続されている。
【００３４】
好ましくは、ズボン１が、クロッチ部５の近位部１１と、第１脚部２の正面部２′および第２脚部３の正面部３′のそれぞれと、の間にプリーツ１２を具えている。
【００３５】
［第２実施形態］
図２ａ〜２ｃを参照すると、ズボン１の第１実施形態が示されている。具体的には、図２ａ，２ｂは、それぞれズボン１の正面図と背面図を示しており、図２ｃは、半仕上げ状態の製品であり、これらを継合せることによって図２ａ，２ｂのズボンが得られる。
【００３６】
図１ａ〜１ｃに示した第１実施形態と比較して、第２実施形態は、ズボンのカットおよび性質によって実質的に区別される。
【００３７】
クロッチ部５は、第１実施形態のクロッチ部と実質的に同一形状である。具体的に、クロッチ部５は、一体に形成された近位部１０および遠位部１１を具えている。近位部１は、ウエスト部４の正面部４′と一体に形成されている。クロッチ部５は、概して縦長形状であり、近位部１０では、ウエスト部４の正面部４′から遠位部１１に向かって幅が減じている。また、遠位部１１では近位部１０から幅が減じている。ズボンが繋ぎ合わされた状態において、クロッチ部５は、ウエスト部４の背面部４′に向かって折れ曲がり、ズボンのクロッチを形成している。クロッチ部５の遠位部１１は、一方側が第１脚部２の背面部２″に、他方側が第２脚部３の背面部３″にシーム６によって接続され、そして該遠位部１１の端部は、ウエスト部４の第１背面部１０４″を第２背面部２０４″に接続しているシーム１９に接続されている。
【００３８】
［第３実施形態］
図３ａ〜３ｃは、ズボン１の可能な第３実施形態を示している。具体的には、図３ａ，３ｂは、それぞれズボン１の正面図と背面図を示しており、図３ｃは、半仕上げ状態の製品であり、これらを継合せることによって図３ａ，３ｂのズボンが得られる。
【００３９】
第３実施形態に従うズボンは、第１実施形態に係るズボンと同様のカット及び性質を有するが、クロッチ部５の形状によって区別される。
【００４０】
具体的には、第３実施形態の場合も同様に、クロッチ部５は一体に形成された近位部１０および遠位部１１を具えている。近位部１０は、ウエスト部４の正面部４′と一体に形成されており、該ウエスト部４の正面部４′から遠位部１１に向かって幅を減じている。遠位部は、第１セグメント１１１及び第２セグメント２１１を具えている。第１セグメント１１１では、クロッチ部５の近位部１０から該クロッチ部５の第２セグメント２１１に向かって幅が減じている。第２セグメント２１１では、第１セグメント１１から遠位部１１の端部に向かって幅が増している。ズボンが繋ぎ合わされた状態において、かように成形されたクロッチ部５は、ウエスト部４の背面部４″に向かって折れ曲がり、ズボンのクロッチを形成する。
【００４１】
クロッチ部５の遠位部１１における第１セグメント１１１および第２セグメント２１１は、ともに形成された第１脚部２の背面部２″および第２脚部３の背面部３″に、シーム６（シーム１９の下側）によって接続されている。背面部２″，３″の凹部１４は、クロッチ部５の遠位部１１に成形された第２セグメント２１１と相補的な形状を有している。
【００４２】
好ましくは、ズボン１は、クロッチ部５の近位部１１と、第１脚部２の正面部２′および第２脚部３の正面部３′のそれぞれと、の間にいくつかのプリーツ１２を具えている。
【００４３】
以上の説明から、当業者は、本発明に従うズボンがいかに快適であり、どのように股下領域を妨害しないかを理解することができる。事実、陰部および／または会陰部の位置に中央のシームがないことによって、着用者の性器に対する不所望な圧迫を回避し、炎症や病状さえも引き起こす可能性がある擦れを回避することができる。
【００４４】
上述の効果を奏するクロッチ部は審美的に離散しているため、ズボンの外観は変わらない。
【００４５】
当業者は、個々の偶発的ニーズを満たすことを目的として、添付された特許請求の範囲から逸脱することなく、本発明に従うズボンの上記実施形態に他の機能的に等価な追加、変更または置換を行うことができる。
【図１ａ】
2015522108.tif 000003
【図１ｂ】
2015522108.tif 000004
【図１ｃ】
2015522108.tif 000005
【図２ａ】
2015522108.tif 000006
【図２ｂ】
2015522108.tif 000007
【図２ｃ】
2015522108.tif 000008
【図３ａ】
2015522108.tif 000009
【図３ｂ】
2015522108.tif 000010
【図３ｃ】
2015522108.tif 000011
【国際調査報告】
2015522108.tif 000012
2015522108.tif 000013
2015522108.tif 000014